(57)【要約】【課題】カラーホイールの回転にかかわらずにカラーホイールの異常を検出することにより、カラーホイールの異常が原因となって更なる損傷を招くことを防止できるプロジェクタを提供する。【解決手段】カラーホイール２２を備えるプロジェクタは、カラーホイール２２が回転を開始する前に重量センサ３１でカラーホイール２２の重量を測定し、重量が所定範囲を外れている場合は、光源２１の点灯を禁止する。またカラーホイール２２の回転中に、振動センサ３２でカラーホイール２２の振動を測定し、振動が所定の基準を超えた場合に、光源２１を消灯させ、カラーホイール２２を停止させる。カラーホイール２２の回転の有無にかかわらずにカラーホイール２２の異常を検出し、異常の検出時に光源の発光を禁止することにより、プロジェクタの損傷を防止する。【選択図】図１
2008286872.tif 000002
【特許請求の範囲】
【請求項１】
光源を発光させるための電力を光源に供給する電力供給手段と、光源からの光が入射される回転可能な円盤状のカラーホイールとを備え、前記カラーホイールを経過した光を用いて画像を投影するプロジェクタにおいて、
前記カラーホイールが回転を開始していない状態で、前記カラーホイールの重量を測定する手段と、
該手段が測定した重量が、予め定められた所定範囲を外れている場合に、前記電力供給手段に電力の供給を禁止させる手段と
を備えることを特徴とするプロジェクタ。
【請求項２】
光源を発光させるための電力を光源に供給する電力供給手段と、光源からの光が入射される回転可能な円盤状のカラーホイールとを備え、前記カラーホイールを経過した光を用いて画像を投影するプロジェクタにおいて、
前記カラーホイールが回転している状態で、前記カラーホイールに発生する振動を測定する手段と、
該手段が測定した振動が、予め定められた基準を超えた場合に、前記電力供給手段に電力の供給を禁止させる手段と
を備えることを特徴とするプロジェクタ。
【請求項３】
光源を発光させるための電力を光源に供給する電力供給手段と、光源からの光が入射される回転可能な円盤状のカラーホイールとを備え、前記カラーホイールを経過した光を用いて画像を投影するプロジェクタにおいて、
前記カラーホイールが回転している状態で、前記カラーホイールに発生するトルクを測定する手段と、
該手段が測定したトルクが、予め定められた所定範囲を外れている場合に、前記電力供給手段に電力の供給を禁止させる手段と
を備えることを特徴とするプロジェクタ。
【請求項４】
光源を発光させるための電力を光源に供給する電力供給手段と、光源からの光が入射される回転可能な円盤状のカラーホイールとを備え、前記カラーホイールを経過した光を用いて画像を投影するプロジェクタにおいて、
前記カラーホイールが回転している状態で、前記カラーホイール付近での騒音を測定する手段と、
該手段が測定した騒音が、予め定められた基準を超えた場合に、前記電力供給手段に電力の供給を禁止させる手段と
を備えることを特徴とするプロジェクタ。
【請求項５】
光源を発光させるための電力を光源に供給する電力供給手段と、光源からの光が入射される回転可能な円盤状のカラーホイールとを備え、前記カラーホイールを経過した光を用いて画像を投影するプロジェクタにおいて、
画像を投影している状態で、画像の投影に用いる光の色度を測定する手段と、
該手段が測定した色度が、予め定められた所定範囲を外れている場合に、前記電力供給手段に電力の供給を禁止させる手段と
を備えることを特徴とするプロジェクタ。
【請求項６】
前記電力供給手段に電力の供給を禁止させるときに、前記カラーホイールの回転を停止させる手段を更に備えることを特徴とする請求項２乃至５のいずれか一つに記載のプロジェクタ。
【請求項７】
前記電力供給手段に電力の供給を禁止させるときに、エラーを報知する手段を更に備えることを特徴とする請求項１乃至６のいずれか一つに記載のプロジェクタ。
【発明の詳細な説明】
【技術分野】
【０００１】
本発明は、画像を投影するプロジェクタに関し、より詳しくは、異常が生じた場合でも更なる損傷を招かないようにしたプロジェクタに関する。
【背景技術】
【０００２】
プレゼンテーション又は映像の映写の分野では、画像を形成した液晶パネル又はＤＭＤ（Digital Micromirror Device）等の画像デバイスに光を照射し、画像デバイスで反射又は画像デバイスを透過した光をスクリーン又は壁等に投射することによって、画像を投影するプロジェクタが用いられている。このようなプロジェクタがカラー画像を投影する方式には、Ｒ（赤）Ｇ（緑）Ｂ（青）の３色の画像を時分割で順に投影することによってカラー画像を投影する方式がある。時分割でカラー画像を投影するプロジェクタは、ＲＧＢ３色のフィルタで回転軸回りに分割された円盤状のカラーホイールを備え、回転するカラーホイールに光源からの光を通過させることにより、３色の光を時分割で生成し、３色の光を時分割で画像デバイスへ照射する。画像デバイスはカラーホイールの回転に同期して各色用の画像を形成し、各色の画像が時分割で投影される。プロジェクタが投影する画像を目視した利用者は、時分割で投影された３色の画像を合わせてカラー画像であると認識する。
【０００３】
プロジェクタで明るい画像を投影するためには高い照度が必要であるので、光源には、超高圧水銀ランプ又はメタルハライドランプ等の高輝度のランプが用いられる。高輝度のランプでは、発光に伴う発熱も大きく、ランプからの光が照射されるカラーホイール及び画像デバイスはランプからの光によって加熱されることとなる。従って、カラーホイールが回転を停止している状態でランプが点灯した場合は、カラーホイールの一部のみが過剰に加熱され、急激な温度上昇又は温度分布の不均一さによって変形又は破損等のカラーホイールの損傷が起こる虞がある。このため、カラーホイールの回転状態に応じてランプの点灯を制御する技術が開発されている。特許文献１には、カラーホイールが回転しているか否かを判定し、確実にカラーホイールが回転している場合のみランプを点灯させる技術が開示されている。
【特許文献１】特開２００６−９８９７９号公報
【発明の開示】
【発明が解決しようとする課題】
【０００４】
プロジェクタが備えるカラーホイールは、衝撃又は熱変形等によって破損することがある。特許文献１に開示された技術では、カラーホイールが回転していない場合にはランプの点灯を禁止するものの、カラーホイールが回転している場合には、ランプが点灯することを制限することはない。即ち、カラーホイールが最初から破損している場合、又はプロジェクタの動作中にカラーホイールが破損した場合であっても、カラーホイールが回転する限りランプは点灯してプロジェクタは動作する。カラーホイールが破損した状態で回転した場合、破損によって生じたカラーホイールの破片がプロジェクタ内の光学部品又は電子部品等の内部構造を損傷させる虞がある。またカラーホイールが破損して一部が欠けた状態でランプが点灯した場合は、カラーホイールの欠けた部分によって減衰されていた分の光が画像デバイスに照射され、画像デバイスが過剰に加熱されて損傷する虞があり、最終的にはプロジェクタが発火する危険性があるという問題がある。特許文献１に開示された技術等の従来の技術では、この問題点を解決することはできない。
【０００５】
本発明は、斯かる事情に鑑みてなされたものであって、その目的とするところは、カラーホイールの回転にかかわらずにカラーホイールの異常を検出することにより、カラーホイールの異常が原因となって更なる損傷を招くことを防止できるプロジェクタを提供することにある。
【課題を解決するための手段】
【０００６】
本発明に係るプロジェクタは、光源を発光させるための電力を光源に供給する電力供給手段と、光源からの光が入射される回転可能な円盤状のカラーホイールとを備え、前記カラーホイールを経過した光を用いて画像を投影するプロジェクタにおいて、前記カラーホイールが回転を開始していない状態で、前記カラーホイールの重量を測定する手段と、該手段が測定した重量が、予め定められた所定範囲を外れている場合に、前記電力供給手段に電力の供給を禁止させる手段とを備えることを特徴とする。
【０００７】
本発明においては、カラーホイールを備えるプロジェクタは、回転を開始する前にカラーホイールの重量を測定し、正常なカラーホイールよりも軽い等、重量が所定範囲を外れている場合は、光源の発光を禁止する。破損によってカラーホイールの一部が欠けている場合は、カラーホイールの重量が正常な範囲である所定範囲を下回るので、重量を測定することによりカラーホイールの異常の有無を判定することができる。
【０００８】
本発明に係るプロジェクタは、光源を発光させるための電力を光源に供給する電力供給手段と、光源からの光が入射される回転可能な円盤状のカラーホイールとを備え、前記カラーホイールを経過した光を用いて画像を投影するプロジェクタにおいて、前記カラーホイールが回転している状態で、前記カラーホイールに発生する振動を測定する手段と、該手段が測定した振動が、予め定められた基準を超えた場合に、前記電力供給手段に電力の供給を禁止させる手段とを備えることを特徴とする。
【０００９】
本発明においては、カラーホイールを備えるプロジェクタは、カラーホイールの回転中にカラーホイールの振動を測定し、振幅又は周波数が基準を超える等、振動が所定の基準を超えた場合に、光源の発光を禁止する。カラーホイールに変形又は破損等の異常が発生した場合は、カラーホイールの回転時に余分な振動が発生するので、回転中にカラーホイールの振動を測定することにより、カラーホイールの異常の有無を判定することができる。
【００１０】
本発明に係るプロジェクタは、光源を発光させるための電力を光源に供給する電力供給手段と、光源からの光が入射される回転可能な円盤状のカラーホイールとを備え、前記カラーホイールを経過した光を用いて画像を投影するプロジェクタにおいて、前記カラーホイールが回転している状態で、前記カラーホイールに発生するトルクを測定する手段と、該手段が測定したトルクが、予め定められた所定範囲を外れている場合に、前記電力供給手段に電力の供給を禁止させる手段とを備えることを特徴とする。
【００１１】
本発明においては、カラーホイールを備えるプロジェクタは、カラーホイールの回転中にカラーホイールのトルクを測定し、大きさ又は変動量が所定範囲を外れる等、トルクが所定範囲を外れている場合は、光源の発光を禁止する。カラーホイールに変形又は破損等の異常が発生した場合は、重量バランスの変化又は空気抵抗の増加等によりカラーホイールのトルクの大きさ又は変動量等が変化するので、回転中にカラーホイールのトルクを測定することにより、カラーホイールの異常の有無を判定することができる。
【００１２】
本発明に係るプロジェクタは、光源を発光させるための電力を光源に供給する電力供給手段と、光源からの光が入射される回転可能な円盤状のカラーホイールとを備え、前記カラーホイールを経過した光を用いて画像を投影するプロジェクタにおいて、前記カラーホイールが回転している状態で、前記カラーホイール付近での騒音を測定する手段と、該手段が測定した騒音が、予め定められた基準を超えた場合に、前記電力供給手段に電力の供給を禁止させる手段とを備えることを特徴とする。
【００１３】
本発明においては、カラーホイールを備えるプロジェクタは、カラーホイールの回転中にカラーホイール付近の騒音を測定し、騒音の大きさ又は周波数が基準を超える等、騒音が所定の基準を超えた場合に、光源の発光を禁止する。カラーホイールに変形又は破損等の異常が発生した場合は、カラーホイールの回転時にカラーホイールが発生させる騒音が変化するので、回転中にカラーホイール付近の騒音を測定することにより、カラーホイールの異常の有無を判定することができる。
【００１４】
本発明に係るプロジェクタは、光源を発光させるための電力を光源に供給する電力供給手段と、光源からの光が入射される回転可能な円盤状のカラーホイールとを備え、前記カラーホイールを経過した光を用いて画像を投影するプロジェクタにおいて、画像を投影している状態で、画像の投影に用いる光の色度を測定する手段と、該手段が測定した色度が、予め定められた所定範囲を外れている場合に、前記電力供給手段に電力の供給を禁止させる手段とを備えることを特徴とする。
【００１５】
本発明においては、カラーホイールを備えるプロジェクタは、画像の投影中に投影に用いる光の色度を測定し、色度が所定範囲を外れている場合は、光源の発光を禁止する。破損によってカラーホイールの一部が欠損した場合は、カラーホイールによって生成される各色の光量のバランスが変化し、光の色度が変化するので、画像の投影に用いる光の色度を測定することにより、カラーホイールの異常の有無を判定することができる。
【００１６】
本発明に係るプロジェクタは、前記電力供給手段に電力の供給を禁止させるときに、前記カラーホイールの回転を停止させる手段を更に備えることを特徴とする。
【００１７】
また本発明においては、カラーホイールの回転中にカラーホイールの異常が検出された場合に、カラーホイールの回転を停止させる。
【００１８】
本発明に係るプロジェクタは、前記電力供給手段に電力の供給を禁止させるときに、エラーを報知する手段を更に備えることを特徴とする。
【００１９】
また本発明においては、カラーホイールの回転中にカラーホイールの異常が検出された場合に、発光ダイオード等によりエラーを使用者に報知する。
【発明の効果】
【００２０】
本発明にあっては、カラーホイールが回転する前にカラーホイールの異常の有無を判定し、カラーホイールに異常がある場合は、光源の発光を禁止することにより画像投影の処理を中止するので、カラーホイールが回転することはなく、破損したカラーホイールが回転することによってプロジェクタの内部構造が損傷することを防止できる。また光源の発光を禁止するので、光源からの光が過剰に照射されて画像デバイスが損傷すること及び発火を防止できる。
【００２１】
本発明にあっては、振動、トルク、騒音又は光の色度を測定することにより、プロジェクタの動作時にカラーホイールの異常の有無を判定し、カラーホイールに異常がある場合は、光源の発光を禁止するので、光源からの光が過剰に照射されて画像デバイスが損傷すること及び発火を防止できる等、本発明は優れた効果を奏する。
【発明を実施するための最良の形態】
【００２２】
（実施の形態１）
以下本発明をその実施の形態を示す図面に基づき具体的に説明する。
図１は、本発明のプロジェクタの内部構成を示すブロック図である。図中の白矢印は光を示す。本発明のプロジェクタは、メタルハライドランプ又は超高圧水銀ランプ等の白色光を発光する放電ランプを用いた光源２１と、光源２１からの光を通過させるカラーホイール２２と、ＤＭＤ２４と、カラーホイール２２を通過した光をＤＭＤ２４へ照射する照射光学系２３と、ＤＭＤ２４で反射した光を外部へ投射する投射光学系２５とを備えている。光源２１は、直流電流を供給されることによって発光し、供給された直流電流の大きさに応じた光量で発光する構成となっている。また光源２１は、寿命が切れた場合に交換ができるように容易に着脱することが可能なユニット状に構成されている。
【００２３】
カラーホイール２２は、円盤の中心軸周りに夫々に固有の色の光を透過させる複数のフィルタを配して構成されており、中心軸にモータが直結され、例えば６０Ｈｚの回転速度で、中心軸を回転軸としてモータによって回転する構成となっている。カラーホイール２２は、ＲＧＢの夫々の光を透過させる３色の色フィルタ及び白色光を透過させる白色フィルタの４種類のフィルタを回転軸周りに配してなる。回転するカラーホイール２２へ光源２１からの白色光が照射されることによって、カラーホイール２２に含まれる各フィルタを白色光が順に通過し、ＲＧＢ及び白色の複数色の光が各フィルタの配置に応じた順に生成される。なお、カラーホイール２２は、ＲＧＢの３色の色フィルタからなる構成、各色フィルタを更に分割して交互に配置した構成等、その他の構成であってもよい。
【００２４】
照射光学系２３は、各種のミラー、ロッドインテグレータ及びコンデンサレンズ等の光学素子からなり、カラーホイール２２を通過した光の強度分布を均質化し、均質化した光を集光してＤＭＤ２４へ照射する構成となっている。ＤＭＤ２４は、夫々が画像中の画素に対応する多数の微小ミラーを２次元的に配置してなる。ＤＭＤ２４は、発光する画素に対応する微小ミラーが投射光学系２５の方向へ光を反射し、また非発光の画素に対応する微小ミラーが投射光学系２５へは入射しない方向へ光を反射することにより、投射光学系２５の方向への反射光の有無で２次元の画像を形成する。投射光学系２５は、プリズム、投射レンズ、及び投射レンズを駆動させるための機構等からなる。カラーホイール２２を通過した各色の光が照射光学系２３によりＤＭＤ２４へ照射され、ＤＭＤ２４は照射された色の光に対応する画像を形成し、画像を形成したＤＭＤ２４からの光を投射光学系２５が外部へ投射することにより、各色の光の像でなる画像が外部のスクリーン又は壁等に投影される。カラーホイール２２の回転に応じて各色の画像が時分割で順に投影され、使用者にはカラー画像として認識される。
【００２５】
またプロジェクタは、演算を行うプロセッサ、演算に必要なプログラム等の情報を記憶するＲＯＭ、及び一時的に発生した情報を記憶するＲＡＭ等からなり、プロジェクタ全体の動作を制御する処理を行う制御回路１１を備えている。またプロジェクタは、直流電流を供給する電源回路１３、及び電源回路１３からの電力を制御して光源２１へ供給するバラスト回路１２を備えている。光源２１は電力線でバラスト回路１２に接続され、バラスト回路１２は電力線で電源回路１３に接続されて信号線で制御回路１１に接続されている。バラスト回路１２は、光源２１の点灯のために必要な高圧パルスを光源２１へ点灯時に印加する機能と、光源２１が定常状態で発光している間は光源２１へ定電力を供給する機能とを有している。このように、バラスト回路１２は、光源２１へ電力を供給することによって光源２１を発光させ、本発明における電力供給手段として機能する。制御回路１１は、バラスト回路１２に光源２１へ電力を供給させる制御を行う。
【００２６】
またプロジェクタは、カラーホイール２２に直結されたモータを動作させてカラーホイール２２を駆動し、カラーホイール２２の回転を制御する処理を行うカラーホイール駆動部１５を備えている。カラーホイール駆動部１５は、カラーホイール２２の所定部分に設けられた反射板を光学的に検出することにより、カラーホイール２２の回転位置を検出する機能を有する。カラーホイール駆動部１５は制御回路１１に接続されており、制御回路１１は、検出されたカラーホイール２２の回転位置に基づいてカラーホイール駆動部１５の動作を制御する。カラーホイール２２の回転位置は、光源２１からの白色光がカラーホイール２２のどの部分を通過しており、どの色の光がＤＭＤ２４に照射されているかに対応する。またＤＭＤ２４には、ＤＭＤ２４に画像を形成させる処理を行うＤＭＤドライバ１６が接続されており、ＤＭＤドライバ１６は制御回路１１に接続されている。また制御回路１１には、パーソナルコンピュータ（ＰＣ）又は映像再生装置等の外部の装置から送信される画像データが入力される入力部１７と、各種の処理指示を使用者の操作により受け付ける受付部１８が接続されている。
【００２７】
制御回路１１は、入力部１７に入力された画像データを受け付け、カラーホイール駆動部１５にカラーホイール２２を回転させ、バラスト回路１２に光源２１を発光させる。光源２１からの白色光は、カラーホイール２２に含まれるいずれかのフィルタを通過し、通過したフィルタに応じた色の光が生成される。また制御回路１１は、カラーホイール２２の回転位置に基づいてＤＭＤドライバ１６の動作を制御することにより、各色の光が生成される時点と同期的に、画像データに基づいた各色用の画像をＤＭＤ２４に時分割で形成させる。各色の光が時分割でＤＭＤ２４へ照射され、各色用の画像を形成したＤＭＤ２４で反射された光が投射光学系２５により投射され、各色用の画像が時分割で投影される。
【００２８】
またプロジェクタは、カラーホイール２２の重量を測定する重量センサ３１と、カラーホイール２２の振動を測定する振動センサ３２とを備え、重量センサ３１及び振動センサ３２は制御回路１１に接続されている。重量センサ３１は、カラーホイール２２の回転軸に設けられており、回転していないカラーホイール２２の重量を測定し、測定した重量のデータを制御回路１１へ入力する構成となっている。制御回路１１は、プロジェクタの仕様によって定められている正常なカラーホイール２２の重量の許容範囲を記憶している。カラーホイール２２は、重量がこの許容範囲内に収まるように製造されており、破損によってカラーホイール２２の一部が欠けている場合は、重量センサ３１が測定した重量が許容範囲を下回ることとなる。
【００２９】
また振動センサ３２は、カラーホイール２２にレーザー光を照射し、カラーホイール２２で反射したレーザー光を受光し、受光したレーザー光の周波数変化からカラーホイール２２の振動を測定する。なお、振動センサ３２はその他の原理で振動を測定するセンサであってもよい。振動センサ３２は測定した振動のデータを制御回路１１へ入力する。制御回路１１は、カラーホイール２２に発生する振動の振幅又は周波数等の許容基準を記憶している。正常なカラーホイール２２が回転している場合には、カラーホイール２２に発生する振動は許容基準以下に収まる。変形又は破損等のカラーホイール２２の損傷が起こった場合は、カラーホイール２２の重量バランスが変化し、また回転時に空気抵抗を受けやすくなるので、カラーホイール２２の回転時に余分な振動が発生し、許容基準を超えた振幅又は周波数の振動が発生することとなる。
【００３０】
更にプロジェクタは、異常時にエラーを表示する表示部１４を備えている。表示部１４は、異常時に点灯するＬＥＤ（発光ダイオード）又はエラーメッセージを表示する小型ディスプレイ等からなり、制御回路１１に接続されている。表示部１４は、制御回路１１の制御によりエラーを表示する。
【００３１】
次に、以上の構成でなる本発明のプロジェクタの動作を説明する。図２は、画像の投影を開始する際に本発明のプロジェクタが実行する処理の手順を示すフローチャートである。投影開始の指示を受付部１８で受け付け、カラーホイール２２が回転を開始する前に、重量センサ３１は、制御回路１１の制御に従ってカラーホイール２２の重量を測定する（Ｓ１１）。重量センサ３１は測定した重量のデータを制御回路１１へ入力し、制御回路１１は、重量センサ３１が測定したカラーホイール２２の重量と記憶している重量の許容範囲とを比較し、カラーホイール２２の重量が所定の許容範囲内に収まるか否かを判定する（Ｓ１２）。カラーホイール２２の重量が所定の許容範囲内に収まっている場合は（Ｓ１２：ＹＥＳ）、制御回路１１は、カラーホイール駆動部１５にカラーホイール２２を回転させ、バラスト回路１２に光源２１を点灯させ、ＤＭＤドライバ１６にＤＭＤ２４を動作させることにより、画像の投影を開始する（Ｓ１３）。
【００３２】
ステップＳ１２で、カラーホイール２２の重量が許容範囲を下回る等、カラーホイール２２の重量が所定の許容範囲を外れている場合は（Ｓ１２：ＮＯ）、制御回路１１は、バラスト回路１２が点灯のための電力を光源２１へ供給することを禁止することによって、光源２１の点灯を禁止する（Ｓ１４）。このとき、制御回路１１は、点灯の禁止を指示する制御信号をバラスト回路１２へ出力する処理を行ってもよく、また点灯を指示する制御信号を出力しないことによってＳ１４の処理を行ってもよい。この状態では光源２１は点灯せず、画像も投影されない。制御回路１１は、次に、ＬＥＤの点灯又は小型ディスプレイでのエラーメッセージの表示等により、表示部１４にエラーを表示させる（Ｓ１５）。表示部１４でエラーが表示されることにより、使用者にエラーが報知される。本発明のプロジェクタは、以上で画像の投影を開始する際の処理を終了する。
【００３３】
破損によってカラーホイール２２の一部が欠けている場合は、カラーホイール２２の重量が所定の許容範囲を下回るので、カラーホイール２２が回転する前に重量を測定することにより、カラーホイール２２が回転する前にカラーホイール２２の異常の有無を判定することができる。カラーホイール２２に異常がある場合は、回転前に画像投影の処理を中止するので、カラーホイール２２が回転することはなく、破損したカラーホイール２２が回転することによってプロジェクタの内部構造が損傷することを防止できる。また光源２１の点灯を禁止するので、光源２１からの光が過剰に照射されてＤＭＤ２４が損傷すること及び発火を防止できる。またエラーを報知された使用者は、カラーホイール２２を交換する等、プロジェクタを修理することとなる。
【００３４】
図３は、画像の投影中に本発明のプロジェクタが実行する処理の手順を示すフローチャートである。カラーホイール２２が回転し、光源２１が発光している状態で、振動センサ３２は、制御回路１１の制御に従ってカラーホイール２２の振動を測定する（Ｓ２１）。振動センサ３２は測定した振動のデータを制御回路１１へ入力し、制御回路１１は、振動センサ３２が測定した振動と記憶している振動の振幅又は周波数等の許容基準とを比較し、測定した振動が所定の許容基準以下であるか否かを判定する（Ｓ２２）。測定した振動の振幅又は周波数等が所定の許容基準以下である場合は（Ｓ２２：ＹＥＳ）、制御回路１１は、処理をステップＳ２１へ戻し、画像の投影中は、ステップＳ２１及びＳ２２の処理を随時実行する。
【００３５】
ステップＳ２２で、測定した振動の振幅又は周波数等が所定の許容基準を超えている場合は（Ｓ２２：ＮＯ）、制御回路１１は、バラスト回路１２から光源２１へ供給している電力を停止させることにより、バラスト回路１２に光源２１を消灯させる（Ｓ２３）。制御回路１１は、次に、カラーホイール駆動部１５にカラーホイール２２を停止させ（Ｓ２４）、表示部１４にエラーを表示させ（Ｓ２５）、処理を終了する。
【００３６】
カラーホイール２２に変形又は破損等の異常が発生した場合は、重量バランスの変化又は空気抵抗の増加等によりカラーホイール２２の回転時に余分な振動が発生し、許容基準を超えた振幅又は周波数の振動が発生する。従って、回転中にカラーホイール２２の振動を測定することにより、カラーホイール２２の異常の有無を判定することができる。カラーホイール２２に異常がある場合は、光源２１を消灯するので、光源２１からの光が過剰に照射されてＤＭＤ２４が損傷すること及び発火を防止できる。またカラーホイール２２の回転を停止するので、破損したカラーホイール２２が回転することによってプロジェクタの内部構造が損傷することを防止できる。
【００３７】
（実施の形態２）
実施の形態１では、画像投影時に振動センサ３２を用いてカラーホイール２２の異常を検出する形態としたが、本発明のプロジェクタは、他のセンサを用いてカラーホイール２２の異常を検出する形態であってもよい。図４は、実施の形態２に係るプロジェクタの内部構成を示すブロック図である。プロジェクタは、重量センサ３１と、回転するカラーホイール２２のトルクを測定するトルクセンサ３３とを備え、重量センサ３１及びトルクセンサ３３は制御回路１１に接続されている。
【００３８】
トルクセンサ３３は、カラーホイール２２の回転軸に設けられており、回転軸に発生するトルクを測定し、測定したトルクのデータを制御回路１１へ入力する。制御回路１１は、カラーホイール２２に発生するトルクの大きさ又は変動量等の所定の許容範囲を記憶している。正常なカラーホイール２２が回転している場合には、カラーホイール２２に発生するトルクは許容範囲に収まる。変形又は破損等のカラーホイール２２の損傷が起こった場合は、カラーホイール２２の重量バランスが変化し、また回転時に空気抵抗を受けやすくなるので、トルクの大きさ又は変動量等が変化することとなる。プロジェクタのその他の構成は、図１に示した実施の形態１と同様であるので、対応する部分に同符号を付してその説明を省略する。
【００３９】
この形態のプロジェクタは、画像の投影中に、図３にフローチャートを示した処理に対応する処理を実行する。ステップＳ２１では、トルクセンサ３３がカラーホイール２２のトルクを測定し、ステップＳ２２では、制御回路１１は、トルクセンサ３３が測定したトルクと記憶しているトルクの大きさ又は変動量等の許容範囲とを比較し、測定したトルクが所定の許容範囲に収まるか否かを判定する。測定したトルクが所定の許容範囲に収まる場合は、制御回路１１は、処理をステップＳ２１へ戻し、画像の投影中は、ステップＳ２１及びＳ２２の処理を随時実行する。測定したトルクが所定の許容範囲から外れる場合は、制御回路１１は、ステップＳ２３以下の処理を実行する。
【００４０】
カラーホイール２２に変形又は破損等の異常が発生した場合は、重量バランスの変化又は空気抵抗の増加等によりカラーホイール２２のトルクの大きさ又は変動量等が変化するので、回転中にカラーホイール２２のトルクを測定することにより、カラーホイール２２の異常の有無を判定することができる。カラーホイール２２に異常がある場合は、光源２１を消灯し、カラーホイール２２の回転を停止するので、光源２１からの光によるＤＭＤ２４の損傷及び発火を防止し、破損したカラーホイール２２の回転によるプロジェクタ内の損傷を防止することができる。
【００４１】
（実施の形態３）
図５は、実施の形態３に係るプロジェクタの内部構成を示すブロック図である。プロジェクタは、重量センサ３１と、カラーホイール２２付近での騒音を測定するマイクロホン３４とを備え、重量センサ３１及びマイクロホン３４は制御回路１１に接続されている。マイクロホン３４は、カラーホイール２２付近での騒音を測定し、測定した騒音のデータを制御回路１１へ入力する。制御回路１１は、カラーホイール２２付近での騒音の大きさ又は周波数等の所定の許容基準を記憶している。正常なカラーホイール２２が回転している場合には、カラーホイール２２付近での騒音は許容基準以下となる。変形又は破損等のカラーホイール２２の損傷が起こった場合は、カラーホイール２２の重量バランスが変化し、また回転時に空気抵抗を受けやすくなるので、騒音の大きさ又は周波数等が変化することとなる。プロジェクタのその他の構成は、図１に示した形態と同様であるので、対応する部分に同符号を付してその説明を省略する。
【００４２】
この形態のプロジェクタは、画像の投影中に、図３にフローチャートを示した処理に対応する処理を実行する。ステップＳ２１では、マイクロホン３４が騒音を測定し、ステップＳ２２では、制御回路１１は、マイクロホン３４が測定した騒音と記憶している騒音の大きさ又は周波数等の許容基準とを比較し、測定した騒音が所定の許容基準以下であるか否かを判定する。測定した騒音が所定の許容基準以下である場合は、制御回路１１は、処理をステップＳ２１へ戻し、画像の投影中は、ステップＳ２１及びＳ２２の処理を随時実行する。測定した騒音が所定の許容基準を超える場合は、制御回路１１は、ステップＳ２３以下の処理を実行する。
【００４３】
カラーホイール２２に変形又は破損等の異常が発生した場合は、重量バランスの変化又は空気抵抗の増加等によりカラーホイール２２が発生させる騒音の大きさ又は周波数等が変化するので、回転中にカラーホイール２２付近の騒音を測定することにより、カラーホイール２２の異常の有無を判定することができる。カラーホイール２２に異常がある場合は、光源２１を消灯し、カラーホイール２２の回転を停止するので、光源２１からの光によるＤＭＤ２４の損傷及び発火を防止し、破損したカラーホイール２２の回転によるプロジェクタ内の損傷を防止することができる。
【００４４】
（実施の形態４）
図６は、実施の形態４に係るプロジェクタの内部構成を示すブロック図である。プロジェクタは、重量センサ３１と、カラーホイール２２を通過した光の色度を測定する測色器３５とを備え、重量センサ３１及び測色器３５は制御回路１１に接続されている。
【００４５】
測色器３５は、ＤＭＤ２４の付近に設けられており、ＤＭＤ２４に入射される光又はＤＭＤ２４から反射した光の色度を測定し、測定した色度のデータを制御回路１１へ入力する。なお、測色器３５は、外部に投影された画像の色度を測定する形態であってもよい。制御回路１１は、カラーホイール２２を通過した光の色度の所定の許容範囲を記憶している。回転する正常なカラーホイール２２を通過した光の色度は許容範囲に収まる。破損によってカラーホイール２２の一部が欠損した場合は、カラーホイール２２によって生成されるＲＧＢ各色の光量のバランスが変化し、光の色度が変化することとなる。プロジェクタのその他の構成は、図１に示した形態と同様であるので、対応する部分に同符号を付してその説明を省略する。
【００４６】
この形態のプロジェクタは、画像の投影中に、図３にフローチャートを示した処理に対応する処理を実行する。ステップＳ２１では、測色器３５がカラーホイール２２を通過した光の色度を測定し、ステップＳ２２では、制御回路１１は、測色器３５が測定した色度と記憶している色度の許容範囲とを比較し、測定した色度が所定の許容範囲に収まるか否かを判定する。測定した色度が所定の許容範囲に収まる場合は、制御回路１１は、処理をステップＳ２１へ戻し、画像の投影中は、ステップＳ２１及びＳ２２の処理を随時実行する。測定した色度が所定の許容範囲から外れる場合は、制御回路１１は、ステップＳ２３以下の処理を実行する。
【００４７】
破損によってカラーホイール２２の一部が欠損した場合は、カラーホイール２２によって生成されるＲＧＢ各色の光量のバランスが変化し、カラーホイール２２を通過した光、即ち画像の投影に用いる光の色度が変化する。従って、画像の投影中にカラーホイール２２を通過した光の色度を測定することにより、カラーホイール２２の異常の有無を判定することができる。カラーホイール２２に異常がある場合は、光源２１を消灯し、カラーホイール２２の回転を停止するので、光源２１からの光によるＤＭＤ２４の損傷及び発火を防止し、破損したカラーホイール２２の回転によるプロジェクタ内の損傷を防止することができる。
【００４８】
なお、以上の実施の形態１〜４においては、カラーホイール２２の停止時に異常を検出するための重量センサ３１と、カラーホイール２２の回転時に異常を検出するための振動センサ３２、トルクセンサ３３、マイクロホン３４、又は測色器３５とを備えた形態を示したが、本発明のプロジェクタの構成は、これに限るものではなく、いずれか１種類のセンサを備えた形態でもよく、２種類以上の多数のセンサを備えた形態であってもよい。また実施の形態１〜４においては、カラーホイール２２を透過した光を用いて画像を投影する形態を示したが、これに限るものではなく、本発明のプロジェクタは、カラーホイール２２が各色の光を反射する反射型のフィルタからなり、カラーホイール２２が反射する光を用いて画像を投影する形態であってもよい。
【００４９】
また実施の形態１〜４においては、本発明のプロジェクタは画像を形成する画像デバイスとしてＤＭＤ２４を用いた形態を示したが、本発明のプロジェクタの構成は、これに限るものではなく、画像デバイスとして液晶パネルを備えた形態であってもよい。また実施の形態１〜４においては、本発明のプロジェクタは、外部のスクリーン又は壁等へ画像を投影するフロントプロジェクション方式の形態を示したが、図示しない透過型のスクリーンを備え、スクリーンの背面から投射光学系２５で光を投射することによってスクリーンに画像を投影するリアプロジェクション方式の形態であってもよい。
【図面の簡単な説明】
【００５０】
【図１】本発明のプロジェクタの内部構成を示すブロック図である。
【図２】画像の投影を開始する際に本発明のプロジェクタが実行する処理の手順を示すフローチャートである。
【図３】画像の投影中に本発明のプロジェクタが実行する処理の手順を示すフローチャートである。
【図４】実施の形態２に係るプロジェクタの内部構成を示すブロック図である。
【図５】実施の形態３に係るプロジェクタの内部構成を示すブロック図である。
【図６】実施の形態４に係るプロジェクタの内部構成を示すブロック図である。
【符号の説明】
【００５１】
１１  制御回路
１２  バラスト回路（電力供給手段）
１４  表示部
２１  光源
２２  カラーホイール
３１  重量センサ
３２  振動センサ
３３  トルクセンサ
３４  マイクロホン
３５  測色器
【図１】
2008286872.tif 000003
【図２】
2008286872.tif 000004
【図３】
2008286872.tif 000005
【図４】
2008286872.tif 000006
【図５】
2008286872.tif 000007
【図６】
2008286872.tif 000008